(57)【要約】【課題】本考案の目的は、御朱印に多層デザインを採り入れることにより、多様なデザインを取り入れることが可能な多層デザイン御朱印を提供することにある。【解決手段】本考案にかかる多層デザイン御朱印は、透明シートと、透明シート上の文字、印影及び画像デザインを含み、文字、印影、画像デザインのいずれかは、それ自体が多層構成、又は、複数の透明シートに分散配置される構成の多層デザインを採用する。【選択図】図１
0003233547.tif 000002
【実用新案登録請求の範囲】
【請求項１】
透明シートと、
前記透明シートに印刷された、文字及び印影を含む御朱印と、
前記透明シートに印刷された、複数層からなる画像デザインと、
を含む多層デザイン御朱印。
【請求項２】
前記画像デザインは、生花を押花にして撮像して得た画像で構成される、
請求項１記載の多層デザイン御朱印。
【請求項３】
前記画像デザインは、生花を分解して得たパーツを層状に再配置して得た押花を撮像して得た画像で構成される、
請求項１記載の多層デザイン御朱印。
【請求項４】
前記画像デザインは、複数の前記透明シートに夫々配置され、複数の前記透明シートを重ね合わせることにより完成する画像で構成される、
請求項１記載の多層デザイン御朱印。
【請求項５】
複数の前記透明シートを重ね合わせることにより完成する前記画像は、形態又は外観が一つの纏まりをなす場合と、観念的に一つの纏まりをなす場合とを含む、
請求項４記載の多層デザイン御朱印。
【請求項６】
前記御朱印は、複数の前記透明シートに夫々配置され、複数の前記透明シートを重ね合わせることにより完成する文字及び印影で構成される、
請求項１記載の多層デザイン御朱印。
【請求項７】
複数の前記透明シートを重ね合わせることにより完成する前記文字及び印影は、形態又は外観が一つの纏まりをなす場合と、観念的に一つの纏まりをなす場合とを含む、
請求項６記載の多層デザイン御朱印。
【請求項８】
画像デザインは、龍頭の図柄と、お題目の文字で表した龍の身体の図柄と含む、
請求項１から請求項７のいずれかに記載の多層デザイン御朱印。
【考案の詳細な説明】
【技術分野】
【０００１】本考案は、複数の階層を持つデザインを含む多層デザイン御朱印に関する。
【背景技術】
【０００２】従来、寺院神社などでは、神仏のご加護を祈念して、参拝者に対して、御朱印帳にお題目・印影を記入押印した御朱印を提供している。寺院神社名に朱印を押印するものが主流であるが、近年、そのデザインが多様化しつつあり、御朱印用紙の右上又は中央部に、寺院神社名やお題目を書き、周辺部に絵画又はイラストのようなデザインを配置するものも頒布されている。
【考案の概要】
【考案が解決しようとする課題】
【０００３】しかし、上記態様の御朱印は、絵画又はイラスト等を併記したとしても、画一的なデザインになりがちである。本考案の目的は、御朱印に多層デザインを採り入れることにより、多様なデザインを取り入れることが可能な多層デザイン御朱印を提供することにある。
【課題を解決するための手段】
【０００４】本考案にかかる多層デザイン御朱印は、透明シートと、透明シート上の文字、印影及び画像デザインを含み、文字、印影、画像デザインのいずれかは、それ自体が多層構成、又は、複数の透明シートに分散配置される構成、の多層デザインを採用する。【０００５】多層デザインは、複数層からなる対象物を予め重ね合わせて撮像して得た画像を印刷してもよいし、複数の透明シートにそれぞれ部分的に対象物を印刷し、シートを重ね合わせることにより画像が完成するようにしてもよい。勿論、御朱印に添えるデザインだけではなく、御朱印の文字・印影自体を複数シートに夫々分散して部分的に描き、シートを重ねることにより完成するようにしてもよい。
【考案の効果】
【０００６】  本考案によれば、御朱印に多層デザインを採用することで、多様なデザインを取り入れることが可能な多層デザイン御朱印を得ることができる。
【図面の簡単な説明】
【０００７】
【図１】本考案の第１の実施の形態の多層デザイン御朱印を示す図
【図２】本考案の第１の実施の形態で使用される押花の分解図
【図３】本考案の第１の実施の形態で使用される多層デザインの一例を示す図
【図４】本考案の第２の実施の形態の多層デザイン御朱印を示す図
【図５】本考案の第２の実施の形態の多層デザイン御朱印の変形例を示す図
【考案を実施するための形態】
【０００８】図１（ａ）（ｂ）（ｃ）は、本考案の第１の実施の形態の多層デザイン御朱印を示す図である。
図１（ａ）は完成状態の多層デザイン御朱印であり、図１（ｂ）（ｃ）は、多層デザイン御朱印のパーツの構成を示す図である。
【０００９】図１（ａ）に示すように、多層デザイン御朱印には、その中央部に桜の花が描かれており、右側には、「南無妙法蓮華経」の文字が、左側下部には、御朱印の提供元を示す寺院の印影が、夫々配置されている。そして、背景部全域には、桜の花の画像デザインが配置される。
【００１０】図１（ｂ）は、１枚目の透明シートを示すものであり、中央部の画像デザインは、桜の花の押花を撮像した画像を印刷したものである。この押花は、生花のがく、花冠、雄しべ、雌しべ、茎、葉、等を夫々分解して乾燥させた後、「南無妙法蓮華経」の文字の周辺に配置した時に、その配置とバランスがとれるように、がく、花冠、雄しべ、雌しべ、葉、茎、を層状に再配置したうえで固定し、その状態で撮像される。画像処理ソフトにより、撮像された背景部分を含む全体画像から層状に整列された花の部分をトリミングして層状の押花画像データを作成し、この画像を透明シートに印刷する。桜の花の右側には、「南無妙法蓮華経」の文字が記され、左下には寺院の印影が記されている。
【００１１】図１（ｃ）は、２枚目の透明シートを示すものであり、桜の花の右側には、「南無妙法蓮華経」の文字が記され、左下には寺院の印章が記されている。この文字と印章とは、１枚目の透明シートと同一の位置に配置されており、２枚のシートを重ね合わせたときに、夫々が重なり合うようになっている。
【００１２】図２は、本考案の第１の実施の形態で使用される押花の分解図であり、生花を各パーツに分解した状態を示している。これらのパーツ夫々を乾燥した後に組み合わせて全体デザインを考慮して再配置して図１（ｂ）の桜のデザインを得る。図１（ｂ）の桜のデザインは、概ね全てのパーツを使用し、更に、桜の葉も加えたデザインとしたが、この多層デザイン画像は、デザイン上、必要な部分だけを用いた押花であってもよい。必要なパーツのみを用いることにより、不要なパーツを取り除いたり、花の一部を強調したり、通常見えにくい部分を表現したりできるため、すっきりとした所望のデザインを得ることができる。また、一旦、分解したパーツを、選択的に層状に配列するため、実物の押花にはないデザインの多様性が得られる。
【００１３】図３は、本考案の第１の実施の形態で使用される多層デザインの一例を示す図である。がく、花冠、葉等を使用せず、桜の花弁のみを円形に配列した多層デザインである。分解した花弁を円形に、花弁相互が多層に重なるように配置して撮影する。生花を押花にして撮影するため、イラスト画では出せない質感が得られる。この場合、多層に重なる花弁が多ければ、配色やデザインをより多様化させることができる。多層デザインを作成する際に、パーツの一部のみを用いることにより、生花を用いた押花でありながらも、実写にはない多様なデザインを得ることができる。
【００１４】図４（ａ）（ｂ）（ｃ）は、本考案の第２の実施の形態の多層デザイン御朱印を示す図である。
図４（ａ）は完成状態の多層デザイン御朱印であり、図４（ｂ）（ｃ）は、多層デザイン御朱印のパーツの構成を示す図である。
【００１５】図４（ａ）に示すように、多層デザイン御朱印は、２枚の同一サイズの透明シートを含み、夫々の透明シートには、その中央部に「南無妙法蓮華経」の文字が印刷されている。文字の周辺部には、複数層からなる画像デザインが配置されるが、この第２の実施の形態の多層デザイン御朱印は、画像デザイン自体が複数のシートに跨って配置されている点が、第１の実施の形態のものと異なる。勿論、各々の透明シートの画像デザインが、第１の実施の形態の多層の押花であってもよい。
【００１６】図４（ｂ）は、１枚目の透明シートを示すものであり、「南無妙法蓮華経」の文字の周辺には、蓮の花が描かれている。図４（ｃ）は、２枚目の透明シートを示すものであり、１枚目の透明シートと同じ位置に「南無妙法蓮華経」の文字が記されており、その周辺には、１枚目の透明シートに描かれた蓮の花と、外観デザイン的に一体化する、蓮の葉が描かれている。これら、２枚のシートを重ね合わせると、図４（ａ）に示すように、「南無妙法蓮華経」の文字が重なり、蓮の花と蓮の葉とが重なることにより、完成した蓮の画像デザインが現れる。
【００１７】また、下層透明シートに、背景として花又は雲の図柄を配置し、上層透明シートに、花や龍の図柄を配置するようすることや、図柄自体、お題目の文字自体を複数の透明シートに夫々分けて記載し、複数シートを重ね合わせることにより、図柄やお題目が完成するようするなど、夫々のシートに何を配置するかは適宜変更可能である。同様に、異なる透明シートに描いた、龍頭の図柄と、南無妙法蓮華経の文字で構成した龍の身体とを組み合わせたり、龍頭の図柄と身体の文字とを同一シートに配置して、他の透明シートに雲等の背景を配置する構成も考えられる。
【００１８】図５は、本考案の第２の実施の形態の多層デザイン御朱印の変形例を示す図であり、４枚の透明シートに四季の花々を描いた多層デザイン御朱印を示している。
図５（ａ）は、完成状態の多層デザイン御朱印である。図（ｂ）は春の花である桜を、図５（ｃ）は、夏の花である向日葵を、図５（ｄ）は、秋の樹木である紅葉を、図５（ｅ）は、冬の花である椿を、夫々、「南無妙法蓮華経」のお題目の周囲の異なる位置に配置した状態を示している。これらを重ねると、図５（ａ）のような四季の花々を描いた多層デザイン御朱印の図柄となる。このように、観念的に統一された複数の図柄を、複数枚の透明シートを重ねたときに、デザイン的に纏まるように配置することにより、御朱印の多様化を図ることができる。
【図１】
0003233547.tif 000003
【図２】
0003233547.tif 000004
【図３】
0003233547.tif 000005
【図４】
0003233547.tif 000006
【図５】
0003233547.tif 000007